(57)【要約】      （修正有）【課題】排尿の吸収効率を大幅に向上させ、股からの脇漏れ防止に寄与する使捨ておむつを提供する。【解決手段】突起の先端部を吸収シートの股当て部１ｓに当接させて左右のフラップ１ｃ、１ｄ（上側吸収シート）と吸収シートの股当て部１ｓとの間に生じた間隙を排出空間として維持している。このため、左右のフラップ１ｃ、１ｄ（上側吸収シート）と吸収シートの股当て部１ｓとにより袋状の構造が形成され、一度に大量の排尿が起こった場合でも、排尿を袋状の構造内に効果的に閉じ込めて外部に漏らすことがない。しかも、上側吸収シートと吸収シートの股当て部１ｓとの両内面が広い面積となり、排尿に対する吸収面積が大きくなり、排尿を高い吸収効率で迅速に吸収処理することができる。【選択図】図１Ａ
2020110573.tif 000002
【特許請求の範囲】
【請求項１】
前当て部、股当て部および後当て部を構成する吸収シートを備えたおむつ本体と、
前記股当て部に重ね合わせるように設けられるとともに、前記股当て部に対応する位置に開口部が形成され、おむつ使用時に着用者の泌尿器を前記開口部の内側に配置させるようにした上側吸収シートと、
前記開口部の開口周縁部に連通状態に設けられた可撓性の環状リングを有するスペーサとを具備し、
前記上側吸収シートと前記吸収シートとの間に生じた間隙を排尿のための排出空間となしたことを特徴とする使捨て用おむつ。
【請求項２】
前記上側吸収シートの前記開口部は男性泌尿器に応じた形状である請求項１記載の使捨て用おむつ。
【請求項３】
前記スペーサの前記環状リングは、前記おむつ本体のうち前記上側吸収シートに対面する部分に対し、前記前当て部に向かって下降傾斜あるいは上昇傾斜する状態に配置され、前記上側吸収シートが半筒状に盛り上がって着用者の陰茎部および陰嚢部を収容する格納部を形成していることを特徴とする請求項１記載の使捨て用おむつ。
【請求項４】
前記スペーサの前記環状リングがシリコーン樹脂により形成されている請求項１記載の使捨て用おむつ。
【請求項５】
前記環状リングが弾性ゴムにより形成されている請求項１記載の使捨て用おむつ。
【請求項６】
前記環状リングは前記陰茎部および前記陰嚢部の根元に係合する大きさを有する請求項１記載の使い捨て排尿具。
【請求項７】
前記スペーサの前記環状リングは、その周方向に沿って複数の突起を所定の間隔で間欠的に立設しており、前記突起の先端部を前記吸収シートに当接させて前記上側吸収シートと前記吸収シートとの間に生じた前記間隙を前記排出空間となす請求項１記載の使捨て用おむつ。
【請求項８】
前記スペーサの前記環状リングに前記突起が一体物として形成されている請求項７記載の使捨て用おむつ。
【請求項９】
前記スペーサの前記環状リングは、前記開口部の前記開口周縁部に固定状態に取り付けられている請求項１記載の使捨て用おむつ。
【請求項１０】
前記スペーサの前記環状リングは、前記開口部の前記開口周縁部に着脱可能に取り付けられている請求項１記載の使捨て用おむつ。
【請求項１１】
前記上側吸収シートの前記開口部は、おむつ使用時に着用者の臀部および泌尿器を前記開口部の内側に配置させるように形成されている請求項１記載の使捨て用おむつ。
【請求項１２】
前記上側吸収シートの前記開口部は、前記着用者の臀部および泌尿器を一括して配置可能なものが１つのみ形成されている請求項１１記載の使捨て用おむつ。
【請求項１３】
前記上側吸収シートの前記開口部は、前記着用者の前記泌尿器に対応する第１開口部と、前記臀部に対応する第２開口部とからなる請求項１１記載の使捨て用おむつ。
【請求項１４】
前記上側吸収シートは前記第１開口部と前記第２開口部とが連通して瓢箪型に一体化されている請求項１３記載の使捨て用おむつ。
【請求項１５】
前記上側吸収シートにおいて前記第１開口部と前記第２開口部とが幅狭な連通路を介して連通している請求項１３記載の使捨て用おむつ。
【請求項１６】
前記上側吸収シートにおいて前記第１開口部と前記第２開口部とが互いに分離独立して形成されている請求項１３記載の使捨て用おむつ。
【請求項１７】
前記上側吸収シートは前記第１開口部よりも前記第２開口部が大きく形成されてなる請求項１３記載の使捨て用おむつ。
【請求項１８】
前記上側吸収シートにおいて前記第１開口部と前記第２開口部の双方は、ハート型に形成されていることを特徴とする請求項１３記載の使捨て用おむつ。  
【請求項１９】
前記おむつ本体をパンツ型おむつとして構成したことを特徴とする請求項１ないし請求項１８の何れか１項に記載の使捨て用おむつ。
【発明の詳細な説明】
【技術分野】
【０００１】
本発明は、腰部に装着する使捨て用おむつに係り、とりわけ、排尿時の尿漏れを効率的に防ぐように改良した使捨て用おむつに関する。
【背景技術】
【０００２】
使捨てのパンツ型おむつは、心材を粉砕パルプと高吸水性ポリマーとを含む吸収体として形成し、吸収体には型崩れを起こさないような工夫が施されている。この種のパンツ型おむつに特許文献１、２に記載されたものがある。このうち特許文献１の構成では、ラッピングシートで被覆された心材の全外面を、ホットメルト接着剤を介してラッピングシートに接合している。心材の内面には、ラッピングシートに対する接合域と非接合域とを設けている。
【０００３】
特許文献２では、吸収性コアに圧縮凹部が点在するエンボス領域がスリットと一部重なるように設けられている。エンボス領域の中央線がおむつの中央線からスリットの中央線までの範囲に位置するように設置している。
この構成により、尿成分を高効率で拡散し、漏れ防止を図り、着用者の肌への液戻りを抑制している。  
【０００４】
特許文献３では、大人用紙おむつに男性性器収納袋を設けている。この男性性器収納袋は、防水弾性体製であり、逆Ｕ字状あるいは逆Ｖ字状を成し、裾部がサイドギャザーと一体的に形成し、男性性器のはみ出し防止と横漏れ防止に寄与させている。
【０００５】
特許文献４では、大人用おむつは、腰当て部と腹当て部とを有するとともに、腰当て部と腹当て部との間を連接する股当て部から構成されている。
腰当て部および腹当て部の各幅方向両側に連結部が設けられ、この連結部を股当て部の幅方向両側に対して外側方に向かって突出させている。これにより、老人や病人等の虚弱な人でも、立たせたままでおむつの装着を可能とし、老人等に対するおむつの装着の容易化を図っている。
また、特許文献５は、開口部を形成した尿漏れパッドをおむつ本体に着脱可能に取り付けている。特許文献６、７、８は、おむつ本体に尿漏れパッドを設けて排尿を高効率で処理可能な構造を開示している。
【先行技術文献】
【特許文献】
【０００６】
【特許文献１】特開２０１５−０００１８１号公報
【特許文献２】特開２０１５−１１９７８６号公報
【特許文献３】特開２００３−１９９７７９号公報
【特許文献４】特開平０８−１５４９６０号公報
【特許文献５】特開２００６−１０２３２１号公報
【特許文献６】特表２０１２−５１９５６６号公報
【特許文献７】特開２００８−２３３６５号公報
【特許文献８】特開２０１７−１８９２１２号公報
【発明の概要】
【発明が解決しようとする課題】
【０００７】
特許文献１では、ラッピングシートを介しての体液の吸収がホットメルト接着剤によって妨げられることがないようにしている。特許文献２では、吸収容量を有効利用し、尿成分を高効率で拡散し、漏れ防止を図り、着用者の肌への液戻りを抑制しているものの、排泄物の漏れ防止という点で改良の余地が残されている。  
【０００８】
また、特許文献３では、男性性器のはみ出しと横漏れ防止を図り、特許文献４では、老人等に対して立たせたままでおむつの装着を可能とし、おむつに対する装着の容易性を図っている。特許文献５は、尿漏れパッドを取り替えることにより、おむつに残る吸収尿量を一定に制限可能とし、特許文献６は吸収基礎材料と超吸収性ポリマー粉末を用いて尿吸収性能を高めている。特許文献７は、おむつ本体の端縁部の両側縁部が接合されて袋状構造を提示し、特許文献８は、裏返し反転可能な袋状キャップ内に、陰茎に装着固定可能な固定用筒を設けている。しかしながら、特許文献１〜８のいずれのものも、排泄物を積極的に溜めて横漏れなどの漏れ防止を合理的に図る構成に乏しく、簡素な構成で排泄物の漏れ対策を強化する余地が残されていた。
【０００９】
本発明は上記の事情を考慮してなされたもので、その目的は、排便を合理的に受けて収容すると共に、排尿を漏れなく迅速に吸収可能とし、もって排尿の吸収効率を大幅に向上させ、股からの脇漏れ防止に寄与し、併せて安価で簡素な構造で済み使い勝手のよいといった実用的に優れた使捨て用おむつを提供することにある。                    
【課題を解決するための手段】
【００１０】
上記の課題を解決するために、本発明の使捨て用おむつは、前当て部、股当て部および後当て部を構成する吸収シートを備えたおむつ本体と、股当て部に重ね合わせるように設けられるとともに股当て部に対応する位置に開口部が形成され、おむつ使用時に着用者の泌尿器を開口部の内側に配置させるようにした上側吸収シートと、開口部の開口周縁部に連通状態に設けられた可撓性の環状リングを有するスペーサとを具備し、上側吸収シートと吸収シートとの間に生じた間隙を排尿のための排出空間となしたことを特徴とする。
【００１１】
上記本発明の構成では、突起の先端部を吸収シートに当接させて上側吸収シートと吸収シートとの間に排出空間を設けた。すなわち、上側吸収シートと吸収シートとにより袋状の構造が形成され、一度に大量の排尿が起こった場合でも、排尿を袋状の構造内に効果的に閉じ込めて外部に漏らすことがない。しかも、上側吸収シートと吸収シートとの両内面が広い面積となり、排尿に対する吸収面積が大きくなり、高い吸収効率で迅速に吸収することができる。また、可撓性のスペーサ（環状リング）を着脱可能に設けているので、おむつ本体の着用者が様々な位置を取っても、おむつ本体を着用者の位置変えに応じた形状に保持することができる。併せて、おむつ本体が安価で簡素な構造で済み使い勝手がよく実用的である。環状リングは例えばシリコーン樹脂により形成できる。また、環状リングを弾性ゴムにより形成してもよい。
【００１２】
上側吸収シートの開口部は男性泌尿器に応じた形状とすることができる。これにより、開口部は男性泌尿器の陰茎部および陰嚢部に応じた形状となり、着用者が男性泌尿器を開口部に配置し易くなって安心して排尿することができる。
【００１３】
また、スペーサの環状リングは、おむつ本体のうち上側吸収シートに対面する部分に対し、前当て部に下降傾斜あるいは上昇傾斜する状態に配置され、上側吸収シートが半筒状に盛り上がって着用者の陰茎部および陰嚢部を収容する格納部を形成するように構成できる。上記構成によると環状リングは、おむつ本体のうち上側吸収シートに対面する部分（股当て部）に対して傾斜状態に配置され、上側吸収シートが半筒状に盛り上がって着用者の陰茎および陰嚢部を収容する格納部を形成る。このため、着用に伴い、着用者の陰茎部および陰嚢部が格納部にすっぽり納まるので、格納部がウツボカズラ状の尿瓶となって、安心して排尿を行うことができる。
【００１４】
環状リングは、その周方向に沿って複数の突起を所定の間隔で間欠的に立設しており、突起の先端部を吸収シートに当接させて上側吸収シートと吸収シートとの間に生じた間隙を排出空間とすることができる。これにより、おむつ本体の着用者が仰臥あるいは伏臥しても、あるいは左右に横臥しても、排便および排尿は開口部の排出空間から前後および左右に拡散し、迅速におむつ本体の全面に広く配分されて効果的に吸収される。この結果、排尿の吸収効率を大幅に向上させ、股からの脇漏れ防止に寄与することができる。
【００１５】
環状リングに対し上記突起は例えば一体物として形成することができる。これにより、スペーサを取り扱い易くでき、紛失防止に寄与することができる。
【００１６】
スペーサの環状リングは、開口部の開口周縁部に固定状態に取り付けることができる。この構成によると、スペーサは固定状態の取付けとなり、使捨て用おむつを直接着用することができる便宜が得られる。他方、スペーサの環状リングは、開口部の開口周縁部に着脱可能に取り付けることもできる。これにより、複数の使捨て用おむつを一つずつ順繰りに使う場合、単一のスペーサを共通して使用することができて汎用性が得られる。
【００１７】
次に、上側吸収シートの開口部は、おむつ使用時に着用者の臀部および泌尿器を開口部の内側に配置させるように形成することができる。これにより、使捨て用おむつを着用者の排尿と排便の双方に適用することができる。
【００１８】
上側吸収シートの開口部は、例えば、着用者の臀部および泌尿器を一括して配置可能なものが１つのみ形成されるようにしてもよい。他方、該開口部は、着用者の泌尿器に対応する第１開口部と、臀部に対応する第２開口部とからなるものとしても形成できる。該構成の第１開口部と第２開口部とにより、排便と排尿とを別々の所から排出空簡に流出させることができる。上側吸収シートは第１開口部よりも第２開口部を大きく形成することができる。また、上側吸収シートは第１開口部と第２開口部とは、例えば互いに連通して瓢箪型に一体化することができる。
【００１９】
他方、第１開口部と第２開口部とを幅狭な連通路を介して連通させることもできるし、第１開口部と第２開口部とを互いに分離独立して形成してもよい。該構成によれば、排尿と排便との位置を容易に識別・確認できる利点が生ずる。
【００２０】
また、上側吸収シートにおいて第１開口部と第２開口部の双方は、ハート型に形成することもできる。排尿および排便は尾籠なことでありながらも、上記構成によれば、第１開口部と第２開口部の形状の軽快さで尾籠性を緩和することができる。
【００２１】
また、おむつ本体はパンツ型おむつとして構成してもよい。使用時におむつ本体を履くことで簡単に着用できる利点を生ずる。
【図面の簡単な説明】
【００２２】
【図１Ａ】本発明の実施の形態１にかかる使捨て用おむつの展開図。
【図１Ｂ】同じく組み立て状態における上面図。
【図１Ｃ】同じくスペーサの斜視図。
【図１Ｄ】図１ＢのＡ１−Ａ１断面図。
【図２Ａ】本発明の実施の形態２にかかる使捨て用おむつの展開図。
【図２Ｂ】同じく組み立て状態における上面図。
【図２Ｃ】同じくスペーサの斜視図。
【図２Ｄ】スペーサをおむつ本体に着脱可能に取り付けた状態で示す図２ＢのＡ２−Ａ２断面図。
【図３Ａ】本発明の実施の形態３にかかる使捨て用おむつの展開図。
【図３Ｂ】同じく組み立て状態における上面図。
【図３Ｃ】同じくスペーサの斜視図。
【図３Ｄ】図３ＢのＡ３−Ａ３及びＡ４−Ａ４断面図。
【図４Ａ】本発明の実施の形態４にかかる使捨て用おむつの展開図。
【図４Ｂ】同じく組み立て状態における上面図。
【図４Ｃ】同じくスペーサの斜視図。
【図４Ｄ】図４ＢのＡ５−Ａ５及びＡ６−Ａ６断面図。
【図５Ａ】本発明の実施の形態５にかかる使捨て用おむつの展開図。
【図５Ｂ】同じく組み立て状態における上面図。
【図５Ｃ】同じくスペーサの斜視図。
【図５Ｄ】図５ＢのＡ７−Ａ７及びＡ８−Ａ８断面図。
【図６Ａ】本発明の実施の形態６にかかる使捨て用おむつの展開図。
【図６Ｂ】同じく組み立て状態における上面図。
【図６Ｃ】同じくスペーサの斜視図。
【図６Ｄ】同じく別のスペーサの斜視図。
【図７Ａ】本発明の実施の形態７にかかる使捨て用おむつの展開図。
【図７Ｂ】同じく組み立て状態における上面図。
【図７Ｃ】同じくスペーサの斜視図。
【図７Ｄ】図７ＢのＡ９−Ａ９断面図。
【図８Ａ】本発明の実施の形態８にかかる使捨て用おむつの展開図。
【図８Ｂ】同じく組み立て状態における上面図。
【図８Ｃ】同じくスペーサの斜視図。
【図８Ｄ】図８ＢのＪ１−Ｊ１断面図。
【図９Ａ】本発明の実施の形態９にかかる使捨て用おむつの展開図。
【図９Ｂ】同じく組み立て状態における上面図。
【図９Ｃ】図９ＢのＪ２−Ｊ２断面図。
【図１０Ａ】本発明の実施の形態１０にかかる使捨て用おむつを、パンツ型おむつとして構成した例を示す展開図。
【図１０Ｂ】同じく斜視図。
【発明を実施するための形態】
【００２３】
以下、本発明の使捨て用おむつの種々の実施の形態について、添付の図面に基づき説明する。
（実施の形態１）
本発明の実施の形態１にかかる使捨て用おむつを図１Ａ〜図１Ｄに基づき説明する。
使捨て用おむつ１は吸収シートにより一体的に形成されており、図１Ａに示すように、中央に着用者の股間領域を有するおむつ本体１ｂ、左右のフラップ１ｃ，１ｄおよび前後の腹当て部１ｅおよび背当て部１ｆを有している。左のフラップ１ｃには、例えば、縦長な半長円形の左開口部２ａが形成され、右のフラップ１ｄにも、縦長な半長円形の右開口部２ｂが形成されている。
【００２４】
左のフラップ１ｃにおける左開口部２ａを除く外周縁部のうち、前端部には細帯状の第１ファスナー２ｃが取り付けられ、後端部には細帯状の第２ファスナー２ｄが取り付けられている。左開口部２ａの上端には第３ファスナー２ｅが取り付けられ、下端には第４ファスナー２ｆが取り付けられている。右のフラップ１ｄにおける右開口部２ｂを除く外周縁部のうち、前端部には細帯状の第５ファスナー２ｇが取り付けられ、後端部には細帯状の第６ファスナー２ｈが取り付けられている。右開口部２ｂの上端には第７ファスナー２ｉが取り付けられ、下端には第８ファスナー２ｊが取り付けられている。
【００２５】
おむつ本体１ｂの前端部には、左右に第９ファスナー２ｋおよび第１０ファスナー２ｍが取り付けられ、おむつ本体１ｂの後端部には、左右に第１１ファスナー２ｎおよび第１２ファスナー２ｐが取り付けられている。左のフラップ１ｃを左の折目線３ａに沿っておむつ本体１ｂの内側に折り曲げ、右のフラップ１ｄを右の折目線３ｂに沿っておむつ本体１ｂの内側に折り曲げる。これにより、第１ファスナー２ｃが第９ファスナー２ｋに接合固着し、第２ファスナー２ｄが第１１ファスナー２ｎに接合固着するとともに、第５ファスナー２ｇが第１０ファスナー２ｍに接合固着し、第６ファスナー２ｈが第１２ファスナー２ｐに接合固着する。  
【００２６】
これと同時に、第３ファスナー２ｅと第７ファスナー２ｉとが接合固着するとともに、第４ファスナー２ｆと第８ファスナー２ｊとが接合固着し、左開口部２ａと右開口部２ｂとが遭遇し、図１Ｂに示す長円形の開口部４を形成する。背当て部１ｆには、左右両側から細長な連結紐帯５ａ，５ｂが横手方向延出し、着用時に腹当て部１ｅに着脱可能に連結保持されるようになっている。
【００２７】
おむつ本体１ｂは、前当て部としての腹当て部１ｅ、股当て部１ｓとしての股間領域および後当て部としての背当て部１ｆを構成する吸収シートを備えている。上側吸収シートとしての左右のフラップ１ｃ，１ｄは、股当て部１ｓに重ね合わせるように設けられている。開口部４は、股当て部１ｓに対応するように上側吸収シート（左右のフラップ１ｃ，１ｄ）に形成され、着用時に使用者の臀部および泌尿器を内部に配置し、着用者の排尿と排便の双方に適用される。本実施形態では、開口部４は、着用者の臀部および泌尿器を一括して配置可能なものが１つのみ形成されている。
【００２８】
図１Ｄに示すように、おむつ本体１ｂの開口部４にはスペーサ６が設けられる。スペーサ６は、おむつ本体１ｂの開口部４の開口周縁部４ａに連通状態に設けられる可撓性の環状リング６ａを有している。図１Ｃはスペーサ６の斜視図である。環状リング６ａは、例えばシリコーン樹脂により形成され、周方向に沿って細ピン状の複数の突起６ｂを所定の間隔で間欠的に立設している。図１Ｄに示すように、突起６ｂの先端部はおむつ本体１ｂの股間領域に当接している。
【００２９】
図１Ｃに示すように、環状リング６ａの外周側縁には、全周にわたって周溝６ｃが形成されている。図１Ｄに示すように、周溝６ｃには、開口部４の開口周縁部４ａが嵌入されて固定状態に取り付けられている。突起６ｂの先端部がおむつ本体１ｂの股間領域に当接することで、左右のフラップ１ｃ，１ｄと吸収シート（おむつ本体１ｂまたは股当て部１ｓ）との間に生じた間隙が排出空間Ｓとして保持されている。なお、環状リング６ａは、可撓性に富む弾性ゴムなどのプラスチックなどでもよく、突起６ｂと一体物として形成されていてもよい。
【００３０】
上記使捨て用おむつ１の構成においては、突起６ｂの先端部を吸収シート（股当て部１ｓ）に当接させて左右のフラップ１ｃ，１ｄ（上側吸収シート）と吸収シート（股当て部１ｓ）との間に生じた間隙を排出空間Ｓとして維持している。このため、左右のフラップ１ｃ，１ｄ（上側吸収シート）と吸収シートとにより袋状の構造が形成され、一度に大量の排尿が起こった場合でも、排尿を袋状の構造内に効果的に閉じ込めて外部に漏らすことがない。しかも、上側吸収シートと吸収シートとの両内面が広い面積となり、排尿に対する吸収面積が大きくなり、排尿を高い吸収効率で迅速に吸収処理することができる。
【００３１】
このため、おむつ本体１ｂの着用者が仰臥あるいは伏臥しても、左右に横臥しても、排便および排尿は開口部４の排出空間Ｓから前後および左右に拡散し、迅速におむつ本体１ｂの全面に広く配分されて効果的に吸収される。この結果、排尿の吸収効率を大幅に向上させ、股からの脇漏れ防止に寄与することができる。併せて、おむつ本体１ｂが安価で簡素な構造で済み使い勝手がよく実用的である。また、可撓性のスペーサ６を着脱可能に設けているので、おむつ本体１ｂの着用者が様々な位置を取っても、おむつ本体１ｂを着用者の位置変えに応じた形状に保持することができる。
【００３２】
また、スペーサ６は、開口部４の開口周縁部４ａに着脱可能に取り付けられている。すなわち、環状リング６ａを着用に応じて着脱可能にしている。これにより、複数の使捨て用おむつを一つずつ順繰りに使う場合、単一のスペーサ６を共通して使用することができて高い汎用性が得られる。さらには、環状リング６ａは突起６ｂと一緒に形成されたシリコーン樹脂により一体物とすることにより、スペーサ６を取り扱い易くなるとともに、紛失防止に役立てることができる。
【００３３】
（実施の形態２）
本発明の実施の形態２にかかる使捨て用おむつを図２Ａ〜図２Ｄに基づき説明する（実施の形態１と共通する要素には同一の符号を付与して詳細な説明は略する）。上記使捨て用おむつ１の構成においては、開口部４の開口周縁部４ａに対し、剥離可能なファスナーＦｓを取付手段として設けており、これを利用してスペーサ６の環状リング６ａを開口部４の開口周縁部４ａに対し着脱可能に設けるようにしている。図２Ｃ及び図２Ｄ（図２ＢのＡ２−Ａ２断面）に示すように、環状リング６ａは実施の形態１よりも厚みが小さな肉薄枠として形成され、片面を被接合面ＦｔとしてファスナーＦｓに接合される。また、実施の形態１の環状リング６ａに形成されていた周溝６ｃは省略されている。該構成では、使捨て用おむつ１の非着用時にスペーサ６（環状リング６ａ）を取り外しておき、着用時におむつ本体１ｂにスペーサ６を取り付けるようにすることもできる。
【００３４】
（実施の形態３）
本発明の実施の形態３にかかる使捨て用おむつを図３Ａ〜図３Ｄに基づき説明する（実施の形態１と共通する要素には同一の符号を付与して詳細な説明は略する）。上記使捨て用おむつ１の構成においては、図３Ａ及び図３Ｂに示すように、おむつ本体１ｂに形成する開口部４を、着用者の泌尿器に対応する第１開口部４Ａと、排便用として臀部に対応する第２開口部４Ｂとの２つ設けている。
【００３５】
すなわち、第１開口部４Ａは、左右に位置する半長円状の半開口部４ｓ，４ｔ同士を対面させて構成している。また、第２開口部４Ｂは、左右に位置する半長円状の半開口部４ｕ，４ｖ同士を対面させて構成している。第１開口部４Ａと第２開口部４Ｂとは、図示上下に隣接する部分で連通し、全体形状として瓢箪形を成している。また、排便用の第２開口部４Ｂは泌尿器に対応する第１開口部４Ａよりも大きく形成されている。
【００３６】
おむつ本体１ｂの左右中央には、細帯状の第１５ファスナー８および第１６ファスナー９が横方向に配列されている。左のフラップ１ｃには、第１７ファスナー１０が設けられ、右のフラップ１ｄには、第１８ファスナー１１が設けられている。左のフラップ１ｃを左の折目線３ａに沿っておむつ本体１ｂの内側に折り曲げるに伴い、第１７ファスナー１０が第１５ファスナー８に接合固定される。右のフラップ１ｄを右の折目線３ｂに沿っておむつ本体１ｂの内側に折り曲げるに伴い、第１８ファスナー１１が第１６ファスナー９に接合固定される。これに伴い、上述の如く半開口部４ｓ，４ｔ同士が対面して第１開口部４Ａを構成し、半開口部４ｕ，４ｖ同士が対面して第２開口部４Ｂを構成する。第１開口部４Ａと第２開口部４Ｂとは連通し全形状は瓢箪形である。
【００３７】
図３Ｃに示すように、本実施形態で採用するスペーサ２０の環状リング２０ａは、第１開口部４Ａ及び第２開口部４Ｂの全形状に応じた瓢箪形を成している。この環状リング２０ａは、第１開口部４Ａに対応する第１長円枠体２０ｂおよび第２開口部４Ｂに対応する第２長円枠体２０ｃを有し、それら第１長円枠体２０ｂと第２長円枠体２０ｃとの境界部は、連結部２０ｅ，２０ｆにより一体的に繋がれている。また、環状リング２０ａの外周面には周溝２０ｈが形成され、図３Ｄ（図３ＢのＡ３−Ａ３及びＡ４−Ａ４断面）に示すように、第１開口部４Ａ及び第２開口部４Ｂがここに係合している。
【００３８】
また、図３Ｃに示すように、スペーサ２０の環状リング２０ａには、周方向に沿って複数の突起２０ｇが所定の間隔で間欠的に立設されている。図３Ｄに示すように、突起２０ｇは、環状リング２０ａから鉛直状態に垂下し、突起２０ｇの先端部をおむつ本体１ｂの股間領域に当接させる。これにより、左右のフラップ１ｃ、１ｄと吸収シート（おむつ本体１ｂあるいは股当て部１ｓ）との間に生じた間隙が排出空間Ｓとされる。
【００３９】
上記実施の形態３の構成によると、開口部４を第１開口部４Ａと第２開口部４Ｂとから構成したので、第１開口部と第２開口部とが別個となり、排便と排尿とを別々の所から排出空簡Ｓに流出させることができる。
【００４０】
（実施の形態４）
本発明の実施の形態４にかかる使捨て用おむつを図４Ａ〜図４Ｄに基づき説明する（実施の形態３と共通する要素には同一の符号を付与して詳細な説明は略する）。上記使捨て用おむつ１の構成においては、図４Ａ及び図４Ｂに示すように、おむつ本体１ｂに形成する第１開口部４Ａおよび第２開口部４Ｂの双方を円形とし、第１開口部４Ａと第２開口部４Ｂとが幅狭な連通路２１により連通している。また、左右のフラップ１ｃ，１ｄにおける第１開口部４Ａと第２開口部４Ｂとの間は、互いに所定の間隙を隔てて対面する第１直線辺部２１ａおよび第２直線辺部２１ｂとされている。
【００４１】
図４Ｃに示すように、この実施形態で採用するスペーサ２２の環状リング２２ａは、第１円形枠２２ｂおよび第２円形枠２２ｃを有し、第１円形枠２２ｂと第２円形枠２２ｃとが接続梁２２ｄで連結されている。図４Ｄ（図４ＢのＡ５−Ａ５及びＡ６−Ａ６断面）に示すように、これら円形枠２２ｂ、円形枠２２ｃおよび接続梁２２ｄには、複数の突起２２ｅを吸収シート（おむつ本体１ｂまたは股当て部１ｓ）に対して垂直状態に立設している。また、環状リング２２ａの外周面には、第１円形枠２２ｂ、第２円形枠２２ｃ及び接続梁２２ｄにまたがる形で周溝２２ｈが形成され、図３Ｄに示すように、第１開口部４Ａ、第２開口部４Ｂ、第１直線辺部２１ａおよび第２直線辺部２１ｂがここに係合している。
【００４２】
上記実施の形態３の構成によると、第１開口部４Ａと第２開口部４Ｂとを幅狭な連通路２１を介して連通しているため、排尿と排便との位置を容易に識別・確認することができる。
【００４３】
（実施の形態５）
本発明の実施の形態５にかかる使捨て用おむつを図５Ａ〜図５Ｄに基づき説明する（実施の形態４と共通する要素には同一の符号を付与して詳細な説明は略する）。上記使捨て用おむつ１の構成においては、図５Ａ及び図５Ｂに示すように、おむつ本体１ｂにおいて連通路２１を廃止し、第１開口部４Ａと第２開口部４Ｂとを別個独立に配置している（すなわち、第１開口部４Ａと第２開口部４Ｂとが互いに分離独立して形成されている）。
【００４４】
このため、左右のフラップ１ｃ，１ｄにおける第１開口部４Ａと第２開口部４Ｂとの間には、第１９ファスナー２３および第２０ファスナー２４が取り付けられている。左のフラップ１ｃ（右のフラップ１ｄ）を左の折目線３ａ（右の折目線３ｂ）に沿って、おむつ本体１ｂの内側に折り曲げるに伴い、第１９ファスナー２３が第２０ファスナー２４に接合固定される。これに伴い、上述の如く半開口部４ｓ、４ｔ同士が対面して第１開口部４Ａを構成し、半開口部４ｕ，４ｖ同士が対面して第２開口部４Ｂを構成する。
【００４５】
図５Ｃに示すように、本実施形態で採用するスペーサ３０は、第１開口部４Ａに対応する第１環状リング３０ａと第２開口部４Ｂに対応する第２環状リング３０ｂとから成る。第１環状リング３０ａおよび第２環状リング３０ｂの双方には、複数の突起２２ｅを吸収シート（おむつ本体１ｂまたは股当て部１ｓ）に対して垂直状態となるよう立設している。また、各環状リング３０ａ，３０ｂの外周面にはそれぞれ周溝３０ｈが形成され、図５Ｄ（図５ＢのＡ７−Ａ７及びＡ８−Ａ８断面）に示すように、第１開口部４Ａおよび第２開口部４Ｂがここに係合している。
【００４６】
（実施の形態６）
本発明の実施の形態６にかかる使捨て用おむつを図６Ａ〜図６Ｄに基づき説明する（実施の形態４または５と共通する要素には同一の符号を付与して詳細な説明は略する）。上記使捨て用おむつ１の構成においては、図６Ａ及び図６Ｂに示すように、おむつ本体１ｂに形成する第１開口部４Ａおよび第２開口部４Ｂの双方をハート型に形成したことである。左右のフラップ１ｃ，１ｄでは、弓なり状の半開口部４ｓ，４ｔ同士が対面して第１開口部４Ａを構成し、弓なり状の半開口部４ｕ，４ｖ同士が対面して第２開口部４Ｂを構成している。
【００４７】
図６Ｃに示すように、本実施形態で採用するスペーサ４０は、第１開口部４Ａに対応する第１環状リング４０ａと第２開口部４Ｂに対応するハート型の第２環状リング４０ｂとから成る。第１環状リング４０ａおよび第２環状リング４０ｂの双方には、複数の突起４２ｅを吸収シート（おむつ本体１ｂまたは股当て部１ｓ）に対して垂直状態に立設している。なお、第１環状リング４０ａと第２環状リング４０ｂとは、図６Ｄに示すように、接続梁４３により一体的に連結してもよい。
【００４８】
上記実施の形態６の構成によると、第１開口部４Ａと第２開口部４Ｂの双方は、ハート型に形成されている。このため、排尿および排便は尾籠なことでありながらも、第１開口部４Ａと第２開口部４Ｂの形状の軽快さで尾籠性を緩和することができる。なお、第１開口部４Ａおよび第２開口部４Ｂの形状としては、実施の形態１〜５に示す円形や長円形、さらには実施の形態６のハート型に限らず、三角形、四角形、五角形、六角形あるいは七角形や八角形を含む多角形であってもよい。
【００４９】
（実施の形態７）
本発明の実施の形態７にかかる使捨て用おむつを図７Ａ〜図７Ｄに基づき説明する（実施の形態１と共通する要素には同一の符号を付与して詳細な説明は略する）。上記使捨て用おむつ１の構成においては、図７Ｂに示すように、おむつ本体１ｂに形成する開口部４を男性泌尿器の形状としている。すなわち、開口部４の先端開口４Ｍを、亀頭を有する陰茎部の形状とし、後端開口４Ｎを、睾丸を有する陰嚢部の形状として全体的に鍵穴形状としている。先端開口４Ｍは、図７Ａに示す左半分小口４ｍと右半分小口４ｎとを対面させて構成し、後端開口４Ｎは、図７Ａに示す左半分大口４ｒと右半分大口４ｑとを対面させて構成している。図７Ｃに示すように、本実施形態で採用するスペーサ５０の環状リング５０ａも開口部４に合致する鍵孔形状とされ、環状リング５０ａの下面に突起５０ｂを立設している。また、図７Ｄ（図７ＢのＡ９−Ａ９断面）に示すように、環状リング５０ａの外周面には周溝５０ｈが形成され、開口部４がここに係合している。
【００５０】
上記実施の形態７の構成によると、開口部４を男性泌尿器の陰茎部および陰嚢部に応じた形状にしたので、着用者が男性泌尿器を開口部４に配置し易くなって安心して排尿することができる。
【００５１】
（実施の形態８）
本発明の実施の形態８にかかる使捨て用おむつを図８Ａ〜図８Ｄに基づき説明する（実施の形態１と共通する要素には同一の符号を付与して詳細な説明は略する）。上記使捨て用おむつ１の構成においては、図８Ｃに示すように、スペーサをなす環状リング６０を、突起を省略した長円形状としている。また、図８Ａに示すように、左のフラップ１ｃの図示上隅角部の近傍に半長円状の切欠き状の第１半開口部６０ａを設け、右のフラップ１ｄの図示上隅角部の近傍に半長円状の第２半開口部６０ｂを設けている。
【００５２】
左のフラップ１ｃの左右幅寸法Ｗ１および右のフラップ１ｄの左右幅寸法Ｗ２は、ともに腹当て部１ｅから背当て部１ｆに向かって次第に増加し、左右のフラップ１ｃ、１ｄの各外側縁部は末広がりに傾斜する状態となっている。左のフラップ１ｃの左右幅寸法Ｗ１と右のフラップ１ｄの左右幅寸法Ｗ２とを足し合わせた値は、おしめ本体１ｂの中央幅寸法Ｗ３よりも所定量だけ大きく設定されている（Ｗ１＋Ｗ２＞Ｗ３）。
【００５３】
そして、左のフラップ１ｃを左の折目線３ａに沿っておむつ本体１ｂの内側に折り曲げ、右のフラップ１ｄを右の折目線３ｂに沿っておむつ本体１ｂの内側に折り曲げることにより、図８Ｂの状態となる。第１半開口部６０ａの周縁部は環状リング６０の半周部分に取り付けられ、第２半開口部６０ｂの周縁部は環状リング６０の残る半周部分に取り付けられる。第１半開口部６０ａと第２半開口部６０ｂとの各周縁部は、環状リング６０上で遭遇して開口部４を形成する。
【００５４】
この場合、左のフラップ１ｃのうち第４ファスナー２ｆを有する部分が右のフラップ１ｄのうち第８ファスナー２ｊを有する部分の下面に重なり合って接合固着され、第２ファスナー２ｄは第１１ファスナー２ｎおよび第１２ファスナー２ｐの双方に接合固着される。また、第３ファスナー２ｅは第７ファスナー２ｉに接合固着される。さらに、第６ファスナー２ｈは第２ファスナー２ｄに対応する左のフラップ１ｃの表面下縁部に接合固着される。第５ファスナー２ｇは第１０ファスナー２ｍに接合固着され、第１ファスナー２ｃは第９ファスナー２ｋに接合固着される。
【００５５】
図８Ｄ（図８ＢのＪ１−Ｊ１断面図）に示すように、周溝６０ｇを形成した環状リング６０は、おむつ本体１ｂのうち上側吸収シートに対面する部分（股当て部１ｓ）に対して傾斜状態（腹当て部１ｅに向かって下降傾斜する状態）に配置され、上側吸収シートが半筒状あるいは円弧状の曲面を成すように盛り上がって格納部６１を構成する。格納部６１の内部は着用者の陰茎部Ｍａおよび陰嚢部Ｍｂを収容する排出空間Ｓとされる。格納部６１には、着用者の陰茎部Ｍａのみを収容するようにしてもよいなど、着用に関しては着用者の裁量で自由な着用方法を適用することができる。
【００５６】
上記実施の形態８の構成によると、使捨て用おむつ１の着用に伴い、着用者の陰茎部Ｍａおよび陰嚢部Ｍｂが格納部６１にすっぽり納まるので、格納部６１がウツボ葛状の尿瓶となって、安心して排尿を行うことができる。なお、環状リング６０は陰茎部Ｍａおよび陰嚢部Ｍｂの根元に係合する大きさを有する。該環状リング６０は必要に応じて設ければよく、不要なときには省略してもよい。
【００５７】
（実施の形態９）
本発明の実施の形態９にかかる使捨て用おむつを図９Ａ〜図９Ｄに基づき説明する（実施の形態１と共通する要素には同一の符号を付与して詳細な説明は略する）。上記使捨て用おむつ１の構成においては、図９Ａに示すように、おむつ本体１ｂの左のフラップ１ｃの図示下隅角部の近傍に半長円状の切欠き状の第１半開口部６０ａを設け、右のフラップ１ｄの図示下隅角部の近傍に半長円状の第２半開口部６０ｂを設けている。
【００５８】
また、図９Ｃに示すように、環状リング６０は、おむつ本体１ｂのうち上側吸収シートに対面する部分に対して傾斜状態（腹当て部１ｅに向かって上昇傾斜する状態）に配置している。そして、実施の形態８の構成とは逆に、左のフラップ１ｃの左右幅寸法Ｗ１および右のフラップ１ｄの左右幅寸法Ｗ２が、ともに腹当て部１ｅから背当て部１ｆに向かって次第に減少し、左右のフラップ１ｃ，１ｄの各外側縁部は末窄みに傾斜する形態となっている。
【００５９】
図９Ａにおいては、第４ファスナー２ｆは第８ファスナー２ｊに接合固着し、第２ファスナー２ｄが第１１ファスナー２ｎに接合固着し、第６ファスナー２ｈが第１２ファスナー２ｐに接合固着する。また、左のフラップ１ｃのうち第３ファスナー２ｅを有する部分は、右のフラップ１ｄのうち第７ファスナー２ｉを有する部分の下面に重なり合って接合固着する。そして、第１ファスナー２ｃが第９ファスナー２ｋと第１０ファスナー２ｍとの双方に接合固着し、第５ファスナー２ｇが第１ファスナー２ｃに対応する左のフラップ１ｃの表面上縁部に接合固着する。
【００６０】
図９Ｃに示すように、上記実施の形態９の構成によると、おむつ本体１ｂの上側吸収シート（左右のフラップ１ｃ，１ｄ）が半筒状あるいは円弧状の曲面を成すように盛り上がって格納部６１を構成する。図９Ｃ（図９ＢのＪ２−Ｊ２断面図）に示すように、着用者は下方から環状リング６０を経て泌尿器を格納部６１に押し入れることで、陰茎部Ｍａおよび陰嚢部Ｍｂを格納部６１に収容することができる。なお、実施の形態８の図８Ｃと同様、環状リング６０は陰茎部Ｍａおよび陰嚢部Ｍｂの根元に係合する大きさを有する。
【００６１】
（実施の形態１０）
本発明の実施の形態１０にかかる使捨て用おむつを図１０Ａ及び図１０Ｂに基づき説明する（実施の形態１と共通する要素には同一の符号を付与して詳細な説明は略する）。上記使捨て用おむつ１の構成においては、図１０Ａ及び図１０Ｂに示すように、おむつ本体がパンツ型おむつ５１として構成されている。当該構成によると、使用時にパンツ型おむつ５１を履くことで、使捨て用おむつ１のおむつ本体を簡単に着用することができる。このパンツ型おむつ５１は、実施の形態１に限らず、実施の形態２〜９の使捨て用おむつ１のそれぞれに適用することができる。
【００６２】
なお、図１０Ｂにおいて、前巻き腹部５１ａと背巻き胴部５１ｂとを上下に結ぶ左右両側のギャザー帯部５１ｃ，５１ｄは、着用者が大腿部を挿入するための左右の装用口５１ｅ，５１ｆとして利用される。
【００６３】
上記実施の形態１〜１０にかかる使捨て用おむつ１は、スペーサにより排出空間を設けたので、排尿および排便が大量になっても、袋状になったおむつ本体により、一度に大量の排尿が起こった場合でも、袋状構造により排尿を閉じ込めて外部に漏らすことがない。しかも、上側吸収シートと吸収シートとの両内面が広い面積となり、排尿に対する吸収面積が大きくなり、排尿を高い吸収効率で迅速に吸収処理することができる。そして、高速道路などで緊急に用便する必要があるときに使用する他、老人介護用、あるいはナップキンなど女性の生理用品として使用してもよいなど、状況や環境に配慮して各種の場合に応じて適宜に使用する多用途化を図ることができる。
【産業上の利用可能性】
【００６４】
本発明に係る使捨て用おむつでは、おむつ本体の着用時、スペーサにより形成された排出空間を維持するため、袋状になった構造となり、排尿に対する吸収効率を向上させて股からの脇漏れ防止に寄与する。併せて、簡素な構造かつ安価な費用で済むため、使捨ておむつ関連の需要を喚起し、その製造・流通を介して化学・機械産業界に貢献する。
【符号の説明】
【００６５】
１  使捨て用おむつ
１ｂ  おむつ本体  
１ｃ  左のフラップ（上側吸収シート）
１ｄ  右のフラップ（上側吸収シート）
１ｅ  腹当て部（前当て部）
１ｆ  背当て部（後当て部）
１ｓ  股当て部
２ａ  左開口部
２ｂ  右開口部
３ａ  左の折目線
３ｂ  右の折目線
４  開口部
４ａ  開口縁部
６  スペーサ
６ａ  環状リング
６ｂ  突起
【図１Ａ】
2020110573.tif 000003
【図１Ｂ】
2020110573.tif 000004
【図１Ｃ】
2020110573.tif 000005
【図１Ｄ】
2020110573.tif 000006
【図２Ａ】
2020110573.tif 000007
【図２Ｂ】
2020110573.tif 000008
【図２Ｃ】
2020110573.tif 000009
【図２Ｄ】
2020110573.tif 000010
【図３Ａ】
2020110573.tif 000011
【図３Ｂ】
2020110573.tif 000012
【図３Ｃ】
2020110573.tif 000013
【図３Ｄ】
2020110573.tif 000014
【図４Ａ】
2020110573.tif 000015
【図４Ｂ】
2020110573.tif 000016
【図４Ｃ】
2020110573.tif 000017
【図４Ｄ】
2020110573.tif 000018
【図５Ａ】
2020110573.tif 000019
【図５Ｂ】
2020110573.tif 000020
【図５Ｃ】
2020110573.tif 000021
【図５Ｄ】
2020110573.tif 000022
【図６Ａ】
2020110573.tif 000023
【図６Ｂ】
2020110573.tif 000024
【図６Ｃ】
2020110573.tif 000025
【図６Ｄ】
2020110573.tif 000026
【図７Ａ】
2020110573.tif 000027
【図７Ｂ】
2020110573.tif 000028
【図７Ｃ】
2020110573.tif 000029
【図７Ｄ】
2020110573.tif 000030
【図８Ａ】
2020110573.tif 000031
【図８Ｂ】
2020110573.tif 000032
【図８Ｃ】
2020110573.tif 000033
【図８Ｄ】
2020110573.tif 000034
【図９Ａ】
2020110573.tif 000035
【図９Ｂ】
2020110573.tif 000036
【図９Ｃ】
2020110573.tif 000037
【図１０Ａ】
2020110573.tif 000038
【図１０Ｂ】
2020110573.tif 000039